(57)【要約】【課題】作業者が落ち葉やゴミ等を寄せ集める作業を行う際に、送風機から送られる風を噴射するための噴管を壁や地面に押し付けた場合であっても、通常のエンジン回転で作業を行うことができる送風作業機を提供する。【解決手段】前記送風作業機１は、エンジン２０と、該エンジン２０により回転駆動される送風機３０と、前記送風機３０と連結され、前記送風機３０から送られた風を噴射するための噴管４０と、を具備する送風作業機１において、前記噴管４０を筒状に形成し、噴管４０の噴射孔４４側先端部の少なくとも一箇所を切り欠いた。【選択図】図４
2010013954.tif 000002
【特許請求の範囲】
【請求項１】
エンジンと、該エンジンにより回転駆動される送風機と、前記送風機と連結され、前記送風機から送られる風を噴射するための噴管と、を具備する送風作業機において、
前記噴管を筒状に形成し、噴管の噴射孔側先端部の少なくとも一箇所を切り欠いたことを特徴とする送風作業機。
【請求項２】
前記噴管の切り欠いた部分の切断面の面積と噴管の断面積とがほぼ等しいことを特徴とする請求項１に記載の送風作業機。
【請求項３】
前記噴管の先端部を屈曲させ、前記噴管の先端部の外周側を切り欠いたことを特徴とする請求項１または請求項２に記載の送風作業機。
【請求項４】
前記噴管の先端部を屈曲させ、前記噴管の先端部の内周側を切り欠いたことを特徴とする請求項１または請求項２に記載の送風作業機。
【発明の詳細な説明】
【技術分野】
【０００１】
本発明は、携帯型の送風作業機に関するものであり、詳しくは、エンジンによって駆動された送風機から送られる風を噴射するための噴管を具備する送風作業機の技術に関する。
【背景技術】
【０００２】
従来、落ち葉やゴミ等を寄せ集める作業を、ほうき等に代えて加速・加圧空気の噴出によって吹き寄せて行う携帯型の送風作業機は公知となっている。前記送風作業機は、エンジンなどの原動機と、該原動機によって回転駆動される遠心式等の送風機とを具備しており、作業者が背中に背負うことにより持ち運びながら作業をすることが可能となっている。また、前記送風機の空気噴出口には送られる風を噴射するための噴管が連結されている。
【特許文献１】特開２０００−２４００２５号公報
【発明の開示】
【発明が解決しようとする課題】
【０００３】
前記送風機の噴管は曲がり管、蛇腹状のフレキシブル管、及び噴射管により構成されており、前記噴射管の先端部に設けられた断面視円状の噴射孔より送られる風が噴射される構造となっている。
しかし、前記送風作業機による落ち葉やゴミ等の寄せ集め作業の際に、前記噴管を壁や地面に押し付けて作業を行うと、噴管の噴口（出口）が塞がれてしまい、空気がスムーズに噴射されないために負荷が増大しエンジン回転が上がりエンジン振動が大きくなる問題があった。そのため、エンジン及び送風機の損壊のおそれがあった。
【０００４】
そこで、本発明はかかる課題に鑑み、作業者が落ち葉やゴミ等を寄せ集める作業を行う際に、送風機から送られる風を噴射するための噴管を壁や地面に押し付けた場合であっても、通常のエンジン回転で作業を行うことができる送風作業機を提供する。
【課題を解決するための手段】
【０００５】
本発明の解決しようとする課題は以上の如くであり、次にこの課題を解決するための手段を説明する。
【０００６】
即ち、請求項１においては、エンジンと、該エンジンにより回転駆動される送風機と、前記送風機と連結され、前記送風機から送られる風を噴射するための噴管と、を具備する送風作業機において、前記噴管を筒状に形成し、噴管の噴射孔側先端部の少なくとも一箇所を切り欠いたものである。
【０００７】
請求項２においては、前記噴管の切り欠いた部分の切断面の面積と噴管の断面積とがほぼ等しいものである。
【０００８】
請求項３においては、前記噴管の先端部を屈曲させ、前記噴管の先端部の外周側を切り欠いたものである。
【０００９】
請求項４においては、前記噴管の先端部を屈曲させ、前記噴管の先端部の内周側を切り欠いたものである。
【発明の効果】
【００１０】
本発明の効果として、以下に示すような効果を奏する。
【００１１】
請求項１においては、送風機から送られる風を噴射するための噴管を壁や地面に押し付けた場合であっても、切り欠いた部分から風が噴射されることとなり、噴管内の送風圧力が高まることがなく、通常のエンジン回転で作業を行うことができる。そのため、エンジン回転が上がって振動が大きくなるのを防止することができる。また、エンジンに負担をかけることなく作業をすることが可能となり、エンジンや送風機の損壊を防ぐことができる。
【００１２】
請求項２においては、送風機から送られる風を噴射するための噴管を壁や地面に押し付けた場合であっても、通常時と送風機から送られる風の断面流量が変わらず、通常のエンジン回転で作業を行うことができる。そのため、エンジン回転が上がって振動が大きくなるのを防止することができる。また、エンジンに負担をかけることなく作業をすることが可能となり、エンジンや送風機の損壊を防ぐことができる。
【００１３】
請求項３においては、送風機から送られる風を噴射するための噴管を壁や地面に押し付けた場合に、屈曲した先端部の外周側から風が噴射されることとなり、風が作業者から離れる方向へ噴射されるので、効率よくゴミや落ち葉等を吹き飛ばして集めることができる。
【００１４】
請求項４においては、送風機から送られる風を噴射するための噴管を壁や地面に押し付けた場合に、屈曲した先端部の内周側から風が噴射されることとなり、風が作業者へ近づく方向へ噴射されるので、効率よくゴミや落ち葉等を寄せ集めることができる。
【発明を実施するための最良の形態】
【００１５】
次に、発明の実施の形態を説明する。
図１は本発明の一実施例に係る送風作業機の全体的な構成を示した背面図、図２は送風作業機の側面一部断面図、図３は送風作業機の使用状態を表す図、図４は（ａ）噴管の平面図（ｂ）噴管の正面図、図５は噴射管の先端部を示す拡大側面図、図６は（ａ）噴管の底面図（ｂ）噴管の正面図、図７は噴射管の先端部を示す拡大側面図である。なお、本実施例にかかる送風作業機は図１の紙面手前側を後方、紙面奥側を前方とするものである。
【００１６】
本発明にかかる送風作業機について図１及び図２を用いて説明する。
前記送風作業機１は、図１及び図２に示すように、作業者が背負って作業をすることができるように設けられた背負い架台１０と、前記背負い架台１０に設置されたエンジン２０と、前記エンジン２０によって駆動される送風機３０と、前記送風機３０から送られる風を噴射するための噴管４０とから構成されている。
【００１７】
前記背負い架台１０は、作業者の背中に当接する背当て部１１と、該背当て部１１の下端から作業者の後方水平方向に延伸された支持部１２と持ち運ぶための把持部１３から構成される。前記背当て部１１には図示せぬ背負いベルトが設けられており、作業者は背負いベルトに腕を通すことにより送風作業機１を背負うことができる。また、前記支持部１２にはエンジン２０、送風機３０、及び燃料タンク５０などが載置されている。
【００１８】
前記エンジン２０は、前記送風機３０を回転駆動するための原動機として機能するもので、正立姿勢（縦置き）で搭載され、また、前記エンジン２０と前記送風機３０との間には、前記エンジン２０用の燃料タンク５０が配設されている。
【００１９】
また、図１に示すように、前記エンジン２０の後面にはリコイルスタータ２１が設けられており、該リコイルスタータ２１はグリップ部分２１ａを引くことによりマグネットを回転させてコイルに高電圧を発生させる。これにより、作業者はリコイルスタータ２１を手動で操作することで、エンジン２０を始動させることができる。
【００２０】
前記送風機３０は、図２に示すように、基本的には、遠心式でファンケース３１と、該ファンケース３１内に配置されたファン３２とからなり、該ファン３２は、その中心に固定されたファン軸３３によって回転可能に支持されている。
【００２１】
前記ファンケース３１は、前記ファン３２を収納するファン収納部３１ａと上部通路３１ｂとから構成されている。前記ファン収納部３１ａと上部通路３１ｂは連通しており前記ファン３２によって加圧された空気が上部通路３１ｂへと送られる。また、前記ファンケース３１の背負い架台１０側には空気取入口３４が設けられている。
【００２２】
外部空気は、前記送風機３０と前記背負い架台１０との間の空間を通じて、前記空気取入口３４から吸入されて、前記ファン３２で、所定の速度と圧力を与えられ、加速及び加圧せしめられる。そして、加圧された空気が前記ファンケース３１の上部通路３１ｂを通り、空気噴出口３５から噴管４０へと噴出されるようになっている。
【００２３】
前記送風機３０の空気噴出口３５は、前記送風作業機１を背負った作業者の一方側の脇下後方で水平方向に突出するようになっている。この空気噴出口３５には、噴管４０が連結されるようになっている。
【００２４】
このように構成したことにより、前記送風作業機１は、図３に示すように、作業者が背負って落ち葉やゴミ等を寄せ集める作業をすることができるものであり、前記作業にあたって、前記エンジン２０を始動させると図示せぬクランク軸が回動し、前記クランク軸に連結された前記ファン軸３３を介して前記ファン３２が回転し、該回転により風を起して、前記風を前記空気噴出口３５から噴出するものである。
【００２５】
また、前記送風機３０は、前記ファンケース３１に形成されている前記空気取入口３４から空気を吸入して前記ファンケース３１内に導入する。そして、ファン３２の回転による圧力によって加速された風として前記空気噴出口３５に導くものである。
【００２６】
次に、本発明の要部である噴管４０の構成について図３から図７を用いて説明する。
前記噴管４０は、図３及び図４に示すように、曲がり管４１、蛇腹状のフレキシブル管４２、及び噴射管４３から構成されている。
【００２７】
前記曲がり管４１は円筒状に形成されており前方（背負い架台１０側）へ向かって屈曲している。また、前記曲がり管４１は前記空気噴出口３５に直接連結されており、作業者の後方から前方へ向けて延伸しており、その端部が前記フレキシブル管４２に連結されている。
【００２８】
前記フレキシブル管４２は蛇腹状に構成されており、その向きを自由に変更することが可能となっている。また、前記フレキシブル管４２の端部は噴射管４３に連結されている。これにより、前記噴射管４３は送風機３０に対して自由に向きを変更することができ、作業者は送風機３０を背負いながら、送風したい場所に対して噴射管４３を向けることが可能となる。なお、フレキシブル管４２は本発明では蛇腹状に構成されているが、フレキシブル管４２の構成はこれに限定するものではなく、例えば可撓性の有る素材によって構成することも可能である。
【００２９】
前記噴射管４３は円筒状に構成されており、その先端部は作業時において下方（地面方向）へ向くように屈曲して構成されている。また、前記噴射管４３の先端部には断面視略円形の噴射孔４４が設けられている。作業者は、図３に示すように、噴射管４３の部分を把持することによって噴管４０の所定部分を支持して作業を行うものである。
【００３０】
そして、図４及び図５に示すように、前記噴射管４３の先端部には斜め（噴射管４３の軸心に対して斜め方向）に切断した切り欠き部４５を設けている。前記切り欠き部４５は屈曲した噴射管４３の外側に設けられている。また、前記切り欠き部４５の端面形状は正面視略逆Ｕ字状に形成され、該切り欠き部４５の端面が形成する面積（切断面の面積）Ｂと前記噴射管４３の断面積Ａ（切り欠き部４５が存在しない部分の断面）とが略等しくなるように構成されている。
【００３１】
このように構成することにより、通常の作業時（噴射孔４４が障害物や地面等と離れた状態での作業時）には送風機３０から送られる風が噴管４０の先端部の噴射孔４４から噴射される。このとき、送風機３０から送られる風は噴射孔４４方向（噴射管４３の軸心方向）へ圧力が掛けられているため、切り欠き部４５からはほとんど側方へ噴射されない。他方、前記噴管４０先端を地面や壁などに押し付けた場合には、前記噴射孔４４が塞がれることとなり、図５の矢印方向に示すように、送風機３０から送られる風は前記切り欠き部４５から側方へ噴射されることとなる。この際、図４（ｂ）に示す噴射管４３の断面積Ａと図４（ａ）に示す前記切り欠き部４５の切断面の面積Ｂとが略等しいことから、通常の作業時の噴射孔４４から噴射される量と噴射孔４４が塞がれて切り欠き部４５から側方へ噴射される量とはほとんど変わらない。これにより、前記噴管４０の先端を地面や壁などに押し付けた場合であっても負荷がほとんど変化しないため、一定のエンジン回転数で作業できることとなり、エンジン２０や送風機３０に負担をかけず、損壊を防止することができる。
【００３２】
また、前記切り欠き部４５は、前記噴管４０の屈曲した先端部の外側に設けられているため、前記噴射孔４４が地面に当たった場合には、落ち葉やゴミ等を作業者から離れる方向へ吹き飛ばすことができる。これにより、落ち葉やゴミ等を効率よく吹き飛ばすことが可能となる。
【００３３】
また、別の実施例における噴射管４３の構成について図６及び図７を用いて説明する。前記噴射管４３は円筒状に構成されており、その先端部は作業時に下方（地面方向）へ向くように屈曲して構成されている。
前記噴射管４３の先端部には切り欠き部５５を設けている。前記切り欠き部５５は屈曲した噴射管４３の内側に設けられている。また、前記切り欠き部５５の端面形状が略Ｕ字状となるように設けられており、図６（ａ）に示す前記切り欠き部５５の端面が形成する面積Ｃと図６（ｂ）に示す前記噴射管４３の断面積Ａ（切り欠き部５５が存在しない部分の断面）とが略等しくなるように構成されている。
【００３４】
このように構成することにより、通常の作業時には送風機３０から送られる風が噴射管４３の先端部の噴射孔４４から噴射される。このとき、送風機３０から送られる風は噴射孔４４方向（噴射官４３の軸心方向）へ圧力が掛けられているため、切り欠き部５５からはほとんど噴射されない。一方、前記噴管４０を地面や壁などに押し付けた場合には、前記噴射孔４４が塞がれることとなり、図７の矢印方向に示すように、送風機３０から送られる風は前記切り欠き部５５から側方へ噴射されることとなる。
【００３５】
この場合、噴射管４３の断面積Ａと前記切り欠き部５５の端面の面積Ｃが略等しいことから、通常時と送風機３０から送られる風の断面流量はほとんど変わらない。これにより、一定のエンジン回転数で作業できることとなり、エンジン２０や送風機３０に負担をかけず、損壊を防止することができる。
【００３６】
また、前記切り欠き部５５は、屈曲した先端部の内側に設けられているため、前記噴射孔４４が地面に当たった場合には、落ち葉やゴミ等を作業者に近づく方向へ寄せ集めることができる。これにより、落ち葉やゴミ等を効率よく寄せ集めることが可能となる。
【００３７】
なお、噴管４０の構成は、曲がり管４１、フレキシブル管４２、及び噴射管４３に限定されるものではなく、例えばフレキシブル管４２を複数の箇所に設けることも可能であるし、前記空気噴出口３５に直接フレキシブル管４２を連結する構成とすることも可能である。
また、切り欠き部４５及び５５の形状は限定されるものでなく、例えば、多角形状に形成することも可能であり、また、噴射管４３先端部に孔をあけることも可能である。また、前記切り欠き部４５及び５５の数は一つに限定されるものではなく、複数の箇所に形成することも可能である。この場合、複数の切り欠き部の端面の面積の合計は噴射管４３の断面積Ａと略同じとなるように形成する。このように構成することにより、大量の送風があった場合に、送風機３０から送られる風を噴射するための噴管４０を壁や地面に押し付けても、噴管４０内の送風圧力が高まることがなく、通常のエンジン回転で作業を行うことができる。
【００３８】
以上のように、前記送風作業機１は、エンジン２０と、該エンジン２０により回転駆動される送風機３０と、前記送風機３０と連結され、前記送風機３０から送られた風を噴射するための噴管４０と、を具備する送風作業機１において、前記噴管４０を筒状に形成し、噴管４０の噴射孔４４側先端部の少なくとも一箇所を切り欠いたものである。このように構成することにより、送風機３０から送られる風を噴射するための噴管４０を壁や地面に押し付けた場合であっても、切り欠き部４５から風が噴射されることとなり、噴管４０内の送風圧力が高まることがなく、通常のエンジン回転で作業を行うことができる。そのため、エンジン回転が上がって振動が大きくなるのを防止することができる。また、エンジン２０に負担をかけることなく作業をすることが可能となり、エンジン２０や送風機３０の損壊を防ぐことができる。
【００３９】
また、前記送風作業機１は、前記噴管４０の切り欠き部４５の切断面の面積Ｂと噴管４０の噴射管４３の断面積Ａとがほぼ等しいものである。このように構成することにより、送風機３０から送られる風を噴射するための噴管４０を壁や地面に押し付けた場合であっても、通常時と送風機３０から送られる風の断面流量が変わらず、通常のエンジン回転で作業を行うことができる。そのため、エンジン回転が上がって振動が大きくなるのを防止することができる。また、エンジン２０に負担をかけることなく作業をすることが可能となり、エンジン２０や送風機３０の損壊を防ぐことができる。
【００４０】
また、前記送風作業機１は、前記噴管４０の先端部を屈曲させ、前記噴管４０の先端部の外周側を切り欠いて切り欠き部４５を設けたものである。このように構成することにより、送風機３０から送られる風を噴射するための噴管４０を壁や地面に押し付けた場合に、屈曲した先端部の外周側から風が噴射されることとなり、風が作業者から離れる方向へ噴射されるので、効率よくゴミや落ち葉等を吹き飛ばして集めることができる。
【００４１】
また、前記噴管４０の先端部を屈曲させ、前記噴管４０の先端部の内周側を切り欠いて切り欠き部５５を設けたものである。このように構成することにより、送風機３０から送られる風を噴射するための噴管４０を壁や地面に押し付けた場合に、屈曲した先端部の内周側から風が噴射されることとなり、風が作業者へ近づく方向へ噴射されるので、効率よくゴミや落ち葉等を寄せ集めることができる。
【図面の簡単な説明】
【００４２】
【図１】本発明の一実施例に係る送風作業機の全体的な構成を示した背面図。
【図２】送風作業機の側面一部断面図。
【図３】送風作業機の使用状態を表す図。
【図４】（ａ）噴管の平面図（ｂ）噴管の正面図。
【図５】噴射管の先端部を示す拡大側面図。
【図６】（ａ）噴管の底面図（ｂ）噴管の正面図。
【図７】噴射管の先端部を示す拡大側面図。
【符号の説明】
【００４３】
１    送風作業機
１０    背負い架台
２０    エンジン
３０    送風機
４０    噴管
４４    噴射孔
４５    切り欠き部
５０    燃料タンク
５５    切り欠き部
【図１】
2010013954.tif 000003
【図２】
2010013954.tif 000004
【図３】
2010013954.tif 000005
【図４】
2010013954.tif 000006
【図５】
2010013954.tif 000007
【図６】
2010013954.tif 000008
【図７】
2010013954.tif 000009